(57)【要約】【課題】  ナースコール親機が患者情報を表示するディスプレイを備えていても患者のプライバシー保護が可能なナースコールシステムを提供する。【解決手段】  ナースコール親機に、患者情報を表示するＬＣＤ１３と微弱電波を発するＩＣタグから発信されたＩＤ情報を読み込むＩＣタグリーダとを設け、患者情報を記憶するサーバにＩＤ発信機情報記憶部を設けた。ＩＣタグリーダがＩＣカードからＩＤ情報を読み込んだら、サーバがＩＤ発信機情報記憶部に記憶されたＩＤ情報と照合し、読み込んだＩＤ情報に一致するＩＤ情報が記憶されている場合に、ＬＣＤに患者情報を表示可能とし、患者の表示エリア２７をタッチすると共に詳細表示ボタン２８をタッチ操作することで患者情報画面２９がＬＣＤ１３にポップアップ表示される。【選択図】  図５
2008085843.tif 000002
【特許請求の範囲】
【請求項１】
病室に設置されて患者が看護師を呼び出すためのナースコール子機と、ナースステーションに設置されてナースコール子機からの呼び出しを報知して応答するためのナースコール親機と、システムを制御する制御機とを有し、前記ナースコール親機は患者情報を表示するディスプレイを備えて成るナースコールシステムにおいて、
前記ナースコール親機は、微弱電波を発するＩＤ発信機から発信されたＩＤ情報を読み込むＩＤ発信機リーダを備える一方、設定された前記ＩＤ情報を記憶するＩＤ発信機情報記憶部と、患者情報を記憶する患者情報記憶部と、前記ＩＤ発信機リーダが読み込んだＩＤ情報と前記ＩＤ発信機情報記憶部に記憶されたＩＤ情報を照合する照合手段と、を前記ナースコール親機或いは別途ナースコール親機と通信可能に設けたサーバに備え、
前記ナースコール親機は、前記ＩＤ発信機情報記憶部に記憶されているＩＤ情報が前記ＩＤ発信機リーダから読み込まれた場合に、所定の操作で前記ディスプレイに患者情報を表示させる表示制御手段を備えたことを特徴とするナースコールシステム。
【請求項２】
前記ＩＤ発信機情報記憶部には、ＩＤ情報と患者グループとが関連付けられて記憶され、読み込んだＩＤ情報に一致するＩＤ情報が記憶されている場合に、前記表示制御手段は一致したＩＤ情報に関連付けられた患者グループの患者情報のみ前記ディスプレイに表示可能とする制御を行うことを特徴とする請求項１記載のナースコールシステム。
【請求項３】
前記ＩＤ発信機情報記憶部には、ＩＤ情報と患者情報の項目とが関連付けられて記憶され、読み込んだＩＤ情報に一致するＩＤ情報が記憶されている場合に、前記表示制御手段は一致したＩＤ情報に関連付けられた項目の患者情報のみ前記ディスプレイに表示可能とする制御を行うことを特徴とする請求項１又は２記載のナースコールシステム。
【発明の詳細な説明】
【技術分野】
【０００１】
本発明はナースコールシステムに関し、特にプライバシー保護機能を備えたナースコールシステムに関する。
【背景技術】
【０００２】
従来より、ナースコール子機からの呼び出しに応答するためのナースコール親機にディスプレイを備えたパーソナルコンピュータを接続して、別途設置されているサーバ等のデータベースに蓄積された患者情報を必要に応じてディスプレイに表示するよう構成したものがある（例えば、特許文献１参照）。
このようなナースコール親機では、ディスプレイにタッチパネルを設ける等して、表示されている患者名等をタッチ操作するとその患者の性別・年齢等の患者情報に加えて救護区分や診療科目等の詳細情報をポップアップ等の動作で表示するよう構成されている。
【特許文献１】特開２００４−３０４５５２号公報
【発明の開示】
【発明が解決しようとする課題】
【０００３】
ナースコール親機はナースステーションに設置されるため、見舞客等がナースコール親機に表示されている患者情報を見ることはないし、まして操作することもない。しかし、ナースステーションに出入りしてナースコール親機を見たり操作する人は表示される患者を担当する看護師だけではなく、看護助手を始め他の関係者もいる。そのため、入院患者のプライバシー保護の点では十分とは言えなかった。
【０００４】
そこで、本発明はこのような問題点に鑑み、ナースコール親機が患者情報を表示するディスプレイを備えていても患者のプライバシー保護が可能なナースコールシステムを提供することを目的とする。
【課題を解決するための手段】
【０００５】
上記課題を解決する為に、請求項１の発明は、病室に設置されて患者が看護師を呼び出すためのナースコール子機と、ナースステーションに設置されてナースコール子機からの呼び出しを報知して応答するためのナースコール親機と、システムを制御する制御機とを有し、ナースコール親機は患者情報を表示するディスプレイを備えて成るナースコールシステムにおいて、ナースコール親機は、微弱電波を発するＩＤ発信機から発信されたＩＤ情報を読み込むＩＤ発信機リーダを備える一方、設定されたＩＤ情報を記憶するＩＤ発信機情報記憶部と、患者情報を記憶する患者情報記憶部と、ＩＤ発信機リーダが読み込んだＩＤ情報とＩＤ発信機情報記憶部に記憶されたＩＤ情報を照合する照合手段と、をナースコール親機或いは別途ナースコール親機と通信可能に設けたサーバに備え、ナースコール親機は、ＩＤ発信機情報記憶部に記憶されているＩＤ情報がＩＤ発信機リーダから読み込まれた場合に、所定の操作でディスプレイに患者情報を表示させる表示制御手段を備えたことを特徴とする。
この構成によれば、ＩＤ発信機がなければ、そして、ＩＤ発信機が発信するＩＤ情報が記憶しているＩＤ情報に一致しなければ、患者情報がディスプレイに表示されないので、登録されたＩＤ発信機を携行する例えば看護師以外は患者情報を見ることができない。よって、患者情報を見る必要のない看護助手や他の関係者がナースコール親機を操作しても患者情報を見ることはできないので、患者のプライバシー保護を図ることができる。また、ＩＤ発信機リーダが近づいてきたＩＤ発信機を自動で検知して読み込むよう構成でき、使用者は新たな操作を行う事無く患者情報を見ることができる。
【０００６】
請求項２の発明は、請求項１に記載の発明において、ＩＤ発信機情報記憶部には、ＩＤ情報と患者グループとが関連付けられて記憶され、読み込んだＩＤ情報に一致するＩＤ情報が記憶されている場合に、表示制御手段は一致したＩＤ情報に関連付けられた患者グループの患者情報のみディスプレイに表示可能とする制御を行うことを特徴とする。
近年、プライマリーナーシングなど同一の看護師が特定の患者を継続的に受け持つ看護体制が定着している。そのため、このように構成することで、携行するＩＤ発信機により表示可能な患者グループが特定されるので、例えば看護師が担当する患者の患者情報のみ表示するように設定できる。よって、患者のプライバシー保護を図ることができると同時に、看護師の担当範囲が明確になり、責任の所在を明確にできる。
【０００７】
請求項３の発明は、請求項１又は２に記載の発明において、ＩＤ発信機情報記憶部には、ＩＤ情報と患者情報の項目とが関連付けられて記憶され、読み込んだＩＤ情報に一致するＩＤ情報が記憶されている場合に、表示制御手段は一致したＩＤ情報に関連付けられた項目の患者情報のみディスプレイに表示可能とする制御を行うことを特徴とする。
この構成によれば、看護師、看護助手等の役職に応じて表示可能項目に制限を加えることができるので、患者のプライバシー保護を更に厳格に図ることができる。
【発明の効果】
【０００８】
本発明によれば、ＩＤ発信機を持たない人は患者情報を見ることができないので、患者のプライバシー保護を図ることができる。また、ＩＤ発信機情報に応じて表示可能な患者グループや表示項目を制限すれば、看護師であっても担当患者以外の患者情報を見ることができないし、役職に応じて表示項目が制限することもでき、患者の住所等が表示可能であっても特定の人しか見ることができないように設定でき、プライバシー保護を厳格に図ることができる。
【発明を実施するための最良の形態】
【０００９】
以下、本発明を具体化した実施の形態を、図面に基づいて詳細に説明する。図１は本発明に係るナースコールシステムの一例を示す構成図であり、１は呼出ボタン２を備えて看護師を呼び出すためのナースコール子機、３は呼び出しを報知するための廊下灯、４はナースコール子機１からの呼び出しに応答するためのナースコール親機、５はシステムを制御する制御機、６は患者情報を蓄積したサーバである。
【００１０】
ナースコール親機４は、呼び出しに応答するための卓上親機９とパーソナルコンピュータ１０、そして近づけられたＩＣタグ（ＩＤ発信機）１１からＩＤ情報を読み取るＩＣタグリーダ１２を有し、図２はナースコール親機４のブロック図を示している。図２に示すように、患者情報を表示するディスプレイであるＬＣＤ１３、ＬＣＤ１３に画像を表示させるための画像処理部１４、ＬＣＤ上に設けられたタッチパネル１５、ハンドセットを備えた通話部１６、表示画像等を記憶する記憶部１７、制御機５と通信する通信インターフェイス（通信ＩＦ）１８、ナースコール親機４を制御するナースコール親機ＣＰＵ１９を備えている。
【００１１】
尚、ＩＣタグ１１は、看護師等のナースコール親機使用者ごとに割り当てられたＩＤ番号が記憶されており、この記憶されているＩＤ番号がＩＣタグリーダー１２で読み取られる。また、このＩＣタグリーダ１２はＩＣタグライタでもあり、ＩＣタグ１１への書き込みも行われ、書き込みはナースコール親機４のパーソナルコンピュータ１０に書き込みの為のソフトウェアをインストールすることで実施される。
【００１２】
図３はサーバ６のブロック図を示し、サーバ６は記憶情報等を表示するＬＣＤ２１、ＬＣＤ２１に画像を表示させるための画像処理部２２、患者情報やＩＤ発信機情報を記憶する記憶部２３、各種情報を記憶操作するためのキーボード等の操作部２４、制御機５と通信する通信インターフェイス（通信ＩＦ）２５、サーバ６を制御するサーバＣＰＵ２６を備えている。このサーバ６の記憶部２３には、個々のＩＣタグ１１に登録されたＩＤ情報と患者グループ、及びＩＤ情報と患者情報の項目とが関連付けられて記憶されたＩＤ発信機情報記憶部と、個々の入院患者の患者情報を記憶した患者情報記憶部が設けられている。
【００１３】
このように構成されたナースコールシステムの動作を次に説明する。尚、ナース子機１の操作による患者からの呼び出し、廊下灯３の呼出報知動作、ナースコール親機４による呼び出しの報知及び応答操作は従来と同様であるため説明を省略し、ナースコール親機４での患者情報の表示動作を説明する。
先ず、看護師等のナースコール親機操作対象者個々に所定のＩＤ情報を設定しＩＣタグに登録すると共にサーバ６の記憶部２３に登録する。この登録は、上述したように、パーソナルコンピュータ１０を操作して実施され、こうしてＩＤ情報が登録されたＩＣタグ１１が、看護師、看護助手等に対して割り当てられ携行される。尚、このＩＣタグ１１は、個々の看護師等が携行するＰＨＳ型の携帯型親機に貼着或いは内蔵されたり、名札に貼着され携行される。
【００１４】
こうしてＩＣタグ１１を携行した看護師等がナースコール親機４に操作するために近づくと（或いは携行しているＩＣタグをＩＣタグリーダに翳すと）、ＩＣタグ１１がＩＤ情報を発信し、ＩＣタグリーダ１２はそのＩＤ情報を読み込む。読み込まれたＩＤ情報は、ナースコール親機ＣＰＵ１９の制御によりサーバ６に送信される。
サーバ６の照合手段としてのサーバＣＰＵ２６は、この読み込んだＩＤ情報を受けて記憶されているＩＤ情報と照合し、一致するＩＤ情報があれば、そのＩＤ情報に関連する患者情報を読み取り可とする。ＩＤ情報は、上述したように、患者グループ、患者情報の項目と関連付けられているため、関連付けられている情報がナースコール親機４で表示可能となる。
【００１５】
このサーバ６の照合動作を受けて、ナースコール親機ＣＰＵ１９は、ＩＣタグを携行する看護師等によりタッチパネル１５の操作（表示操作）が成されたら、患者情報をサーバ６を参照してＬＣＤ１３に表示させる。
図４，図５はＬＣＤ１３に表示される画面説明図であり、図４（ａ）は待受状態の表示、図４（ｂ）はＩＣタグ１１のＩＤ情報を読み込んで患者情報が表示可能となった状態、図５（ａ）は表示可能となった患者のうち特定の患者エリアがタッチ操作された状態、図５（ｂ）は詳細な患者情報を表示した画面を示している。
【００１６】
図４（ａ）に示すように、待受状態では、ＬＣＤ１３に病棟の病室レイアウトに合わせて病室番号、ベッド番号と共に患者氏名が表示されている。この状態でＩＣタグ１１を携行している看護師が近づくと、ＩＣタグリーダ１２がＩＤ情報を読み取り、サーバＣＰＵ２６が患者情報（詳細情報）を表示可能な患者を特定し、特定された患者グループの情報をナースコール親機４に送信する。そして、その患者グループの患者情報のみナースコール親機４から読み取り可とする。
【００１７】
ナースコール親機ＣＰＵ１９は、この患者グループ情報を受けてグループ外の患者に対してマスキング操作をして、患者情報が表示できない旨を操作者に対して認識できるように画面を変更する。こうして、例えば看護師等が担当している患者のみが明瞭な形で表示を続け、操作者は患者情報を見ることができる患者を容易に認識できる。尚、このマスキングされた患者に関しては表示操作しても、患者情報は表示されない。
【００１８】
この状態で、操作者が目的の患者の表示エリア（ここでは、図５に示す患者Ｇのエリア）２７をタッチ操作すると、タッチされた患者の表示エリア２７の色が変化し、患者が選択されたことを認識できる。そして、患者の選択が成されたら詳細表示ボタン２８をタッチすることで、選択した患者の詳細な患者情報がサーバ６から読み込まれて、図５（ｂ）に示すようにポップアップ画面２９で表示される。こうして、患者の詳細情報が表示される。
【００１９】
但し、この表示例では、患者の住所、病名、感染症の項目が表示されていない。ここではＩＣタグリーダ１２が読み込んだＩＤ情報に対して、ＩＤ発信機情報記憶部であるサーバ６の記憶部２３に記憶されている関連項目にこの項目が無いためである。このように、ＩＤ情報に患者情報の項目を関連付けることで、例えば看護師長は住所等を含む全ての患者情報を見ることができるが、看護師は見ることができないというように設定できる。
尚、ここでは表示不可項目には×印を付して表示しているが、単に空白としても良い。そして、この表示された患者情報は、所定時間が経過したら消えて待受画面に戻る。また、患者からの呼び出しに対する応答操作は、担当看護師でなくても従来通り行うことができる。
【００２０】
このように、ＩＤ発信機がなければ、即ちＩＤ発信機を携行しなければ看護師であっても患者情報を見ることができない。よって、患者のプライバシー保護を図ることができる。そして、携行するＩＤ発信機により表示可能な患者グループが特定され、看護師が担当する患者の患者情報のみ表示するように設定できるので、患者のプライバシー保護を図ることができると同時に、看護師の担当範囲が明確になり、責任の所在を明確にできる。
また、ＩＤ発信機リーダが近づいてきたＩＤ発信機を自動で検知して読み込むので、操作者は新たな操作を行う事無く患者情報を見ることができる。
更に、看護師、看護助手等の役職に応じて表示可能項目に制限を加えることができるので、患者のプライバシー保護を更に厳格に図ることができる。
【００２１】
尚、上記実施形態では、サーバ６を設けて患者情報を記憶させているため、このサーバ６にＩＤ発信機情報記憶部を更に設けているが、サーバ６を設けずにナースコール親機４に患者情報を記憶する構成のナースコールシステムにあっては、ＩＤ発信機情報記憶部をナースコール親機に設けて、ナースコール親機４においてＩＤ発信機リーダが読み込んだＩＤ情報を判断させれば良い。
また、表示操作が成される度にＩＣタグリーダ１２がＩＤ情報の読み取り動作をするので、制御機５では操作した時間や対応看護師の情報を認識することができる。そこで、看護履歴を残して看護体制の質の向上につなげることも可能である。
更に、ＩＤ発信機としてＩＣタグ（電池を内蔵しないＩＣチップとアンテナを組み込んだもの）１１の使用を前提に説明したが、電池を内蔵して微弱電波を常時発信する構成のものでも良い。
【図面の簡単な説明】
【００２２】
【図１】本発明に係るナースコールシステムの実施形態の一例を示す構成図である。
【図２】図１のナースコール親機のブロック図である。
【図３】図２のサーバのブロック図である。
【図４】ナースコール親機ディスプレイの画面説明図であり、（ａ）は待受状態の画面、（ｂ）はＩＣタグ情報を読み込んで患者情報が表示可能となった状態の画面を示している。
【図５】ナースコール親機ディスプレイの画面説明図であり、（ａ）は表示可能となった患者のうち特定の患者エリアがタッチ操作された状態、（ｂ）は患者情報を表示した状態を示している。
【符号の説明】
【００２３】
１・・ナースコール子機、３・・廊下灯、４・・ナースコール親機、６・・サーバ、１０・・パーソナルコンピュータ、１１・・ＩＣタグ（ＩＤ発信機）、１２・・ＩＣタグリーダ（ＩＤ発信機リーダ）、１３・・ＬＣＤ（ディスプレイ）、１９・・ナースコール親機ＣＰＵ（表示制御手段）、２３・・記憶部（ＩＤ発信機情報記憶部、患者情報記憶部）、２６・・サーバＣＰＵ（照合手段）。
【図１】
2008085843.tif 000003
【図２】
2008085843.tif 000004
【図３】
2008085843.tif 000005
【図４】
2008085843.tif 000006
【図５】
2008085843.tif 000007